(57)【要約】【課題】仕様が異なる装置同士で製造するカバー部材の共通化を図ることができ、複数種類の光書込装置を製造する全体の低コスト化を図ることができる光書込装置及びこの光書込装置を備えた画像形成装置を提供する。【解決手段】光を発生させる光源部であるレーザ光源と、レーザ光源が発生させた光を偏向させて走査する回転偏向器であるポリゴンスキャナ１２０とを光学ハウジング１３０に収納し、光学ハウジング１３０の開放部分である開口部１３１をカバー部材である上カバー１３５で覆ったレーザ書込装置４７において、上カバー１３５は、両断可能な両断形状である分割線１５０を少なくとも製造時に備える。【選択図】図１
2014012371.tif 000002
【特許請求の範囲】
【請求項１】
光を発生させる光源部と、
該光源部が発生させた光を偏向させて走査する回転偏向器とをハウジングに収納し、
該ハウジングの開放部分をカバー部材で覆った光書込装置において、
上記カバー部材は、両断可能な両断形状を少なくとも製造時に備えるものであることを特徴とする光書込装置。
【請求項２】
請求項１の光書込装置において、
上記両断形状は、上記開放部分における上記回転偏向器の駆動時に発熱する発熱部に対向する部分と他の部分とで上記カバー部材を両断する形状であることを特徴とする光書込装置。
【請求項３】
請求項２の光書込装置において、
上記カバー部材を上記両断形状によって両断し、上記開放部分における上記他の部分を該カバー部材によって覆い、該開放部分における該発熱部に対向する部分は該カバー部材よりも熱伝導率が高い材料からなる高熱伝導カバー部材によって覆ったことを特徴とする光書込装置。
【請求項４】
請求項２または３の何れか一項に記載の光書込装置において、
上記カバー部材は上記ハウジングとの位置決めを行う位置決め形状を有し、
該位置決め形状は両断する前の該カバー部材における上記他の部分に設けたことを特徴とする光書込装置。
【請求項５】
請求項２乃至４の何れか一項に記載の光書込装置において、
上記カバー部材は上記ハウジングとの組み付けを行う組み付け形状を有し、
該組み付け形状は両断する前の該カバー部材における上記他の部分に設けたことを特徴とする光書込装置。
【請求項６】
請求項１乃至５の何れか一項に記載の光書込装置において、
上記カバー部材は上記ハウジングとの間の密閉性を高めるためのシール部材を備え、
該シール部材は、上記両断形状によって該カバー部材が両断される部分で分割されていることを特徴とする光書込装置。
【請求項７】
請求項１乃至７の何れか一項に記載の光書込装置において、
上記カバー部材を上記両断形状によって両断した一方によって上記開放部分の一部を覆い、該開放部分を覆う該カバー部材とは異なる別部品には、該開放部分の一部を覆う該カバー部材及び上記ハウジングに対して位置決め及び固定を行う位置決め固定形状を有することを特徴とする光書込装置。
【請求項８】
潜像担持体と、
潜像担持体上に光を照射して潜像を形成する潜像形成手段と、
該潜像担持体上の潜像を現像しトナー像を形成する現像手段と、
トナー像を該潜像担持体上から記録媒体上に転写する転写手段と、を有する画像形成装置において、
上記潜像形成手段として、請求項１乃至８の何れか１項に記載の光書込装置を用いたことを特徴とする画像形成装置。
【発明の詳細な説明】
【技術分野】
【０００１】
本発明は、潜像担持体上に画像情報に応じた書込光を偏向走査する光書込装置および画像形成装置に関するものである。
【背景技術】
【０００２】
複写機、プリンタ、ファクシミリ等の画像形成装置としては、画像情報に応じた書込光を偏向走査して潜像担持体上に潜像を形成し、この潜像を現像して画像を得るものが知られている。書込光を偏向走査する光書込装置（光走査装置）は、一般に、光源部からの書込光を偏向走査する回転偏向器であるポリゴンスキャナ、このポリゴンスキャナによって偏向走査された書込光を潜像担持体表面に結像するための結像レンズ等の光学系の部品などを備えている。そして、これらの構成部品は、ハウジングに収納され、結像レンズなどの光学系の部品にホコリやゴミが付着しないように、ハウジングの開放部分をカバー部材によって覆って密閉している。
【０００３】
ポリゴンスキャナを駆動させると、駆動源であるポリゴンモータからの回転駆動を出力する回転軸が回転し、この回転による部材同士の摺擦による摩擦熱よって回転軸の軸受部から発熱する。また、軸受部に限らずポリゴンモータを駆動させたときに部材同士で摺擦する部分があれば、その部分から発熱する。
【０００４】
光書込装置のハウジングは、開放部分をカバー部材で密閉されているため、ポリゴンスキャナの駆動により発生した熱は、光書込装置内部に篭ってしまい、内部が高温になってしまう。光書込装置内が高温となると、結像レンズなどの光学系の部品が熱変形してしまうおそれがある。光学系の部品が熱変形すると、潜像担持体表面に書込光を結像できなくなるおそれがある。また、カラー画像形成装置の場合は、各潜像担持体表面への照射位置がずれて、色ずれが生じてしまう。
【０００５】
また、画像形成装置の高速化及び高画質化に伴いポリゴンスキャナの回転速度は高速化する。このため、高速及び高画質の高付加価値の画像形成装置に対応した光書込装置であるほど、ポリゴンスキャナを駆動したときの発熱量が大きくなる。
【０００６】
ポリゴンスキャナ駆動時に発生じた熱が光書込装置内部に篭ることを抑制できる構成としては、特許文献１及び２には、ハウジングの開放部分におけるポリゴンスキャナと対向する部分を金属製のカバー部材によって覆う構成が記載されている。金属のような熱伝導率の高い部材をカバー部材として用いることで、効率的に放熱を行うことができ、光書込装置内部に熱が篭ることを抑制することができる。
【発明の概要】
【発明が解決しようとする課題】
【０００７】
特許文献１及び２の光書込装置では、ハウジングの開放部分におけるポリゴンスキャナと対向する部分以外は、樹脂材料からなるカバー部材によって覆っている。
カバー部材はハウジングの開放部分を密閉することが求められるが、密閉性を実現するような高精度で、開放部分の全体を覆うカバー部材を全て金属で成型することは困難であり、コスト高に繋がる。特許文献１及び２の光書込装置では、ポリゴンスキャナと対向する部分を金属製のカバー部材とし、それ以外の部分を高精度な成型が容易な樹脂材料製のカバー部材とすることで、熱が篭ることを抑制しつつ、より低コストで光書込装置の密閉性を実現している。
【０００８】
低価格帯の画像形成装置と高付加価値の画像形成装置とのように、性能や目的が異なる装置同士であっても全体の製造コストの削減のために部品の共通化が求められており、光書込装置でも同様である。低価格帯の光書込装置と高付加価値の光書込装置との間では、光源部、光学系の部品及びポリゴンスキャナ等の各種部品の仕様が異なる装置同士であっても、光源部から潜像担持体までの光の経路が共通することがある。光の経路が共通する装置同士であれば、配置する部品の仕様が異なってしても、各部品を配置する位置は共通となり、ハウジングやカバー部材の形状が同じとなって部品の共通化を図ることが可能となる。
【０００９】
低価格帯の光書込装置としては、高速化、高画質化に対応せず、ポリゴンスキャナの回転速度が遅いことにより、ポリゴンスキャナを駆動したときの発熱量を問題としないものがあり得る。このような光書込装置では、ハウジングの開放部分の全体を樹脂材料からなる一つのカバー部材とすることができ、上述した開放部分の一部を金属材料のカバー部材で覆う構成よりも低コスト化が図れる。
【００１０】
しかし、開放部分の全体を樹脂材料からなるカバー部材は、ポリゴンスキャナを駆動したときの発熱量が問題となる上述した高付加価値の光書込装置には用いることができない。これはハウジングの開放部分のうちポリゴンスキャナと対向する部分を覆うカバー部材に求められる熱伝導率が、樹脂材料からなるカバー部材では不十分だからである。このため、光の経路が共通する装置同士で、ハウジングの形状が共通し、ポリゴンスキャナに対向する部分以外の開放部分を覆うカバー部材に求められる熱に対する材料特性が共通する場合であっても、カバー部材の共通化を図ることができない。
よって、開放部分の全体を覆う樹脂製のカバー部材と、ポリゴンスキャナに対向する部分以外を覆う樹脂製のカバー部材とのそれぞれについて、金型や製造ラインが必要となり、複数種類の光書込装置を製造する全体の低コスト化を図ることができない。
【００１１】
このような問題は、低価格帯の光書込装置と高付加価値の光書込装置とのように、仕様が異なる装置同士で、カバー部材の一部に求められる熱に対する特性が異なる場合に限るものではない。カバー部材によって覆うべき開放部分の形状の一部が異なる場合やカバー部材の一部に求められる機械的強度が異なる場合等も同様の問題が生じ得る。すなわち、カバー部材の一部に対する要求のみが異なり、他の部分に求められる材料特性及び形状等の要求が共通する装置同士であれば同様の問題が生じ得る。
【００１２】
本発明は以上の問題点に鑑みなされたものであり、その目的は、仕様が異なる装置同士で製造するカバー部材の共通化を図ることができ、複数種類の光書込装置を製造する全体の低コスト化を図ることができる光書込装置及びこの光書込装置を備えた画像形成装置を提供することである。
【課題を解決するための手段】
【００１３】
上記目的を達成するために、請求項１の発明は、光を発生させる光源部と、該光源部が発生させた光を偏向させて走査する回転偏向器とをハウジングに収納し、該ハウジングの開放部分をカバー部材で覆った光書込装置において、上記カバー部材は、両断可能な両断形状を少なくとも製造時に備えるものであることを特徴とするものである。
【００１４】
本発明においては、製造時のカバー部材は両断形状を備えているため、製造時のままの形状のカバー部材を使用する光書込装置と、両断形状で両断した一方の形状のカバー部材を使用する光書込装置とで、製造するカバー部材の共通化を図ることができる。
【発明の効果】
【００１５】
本発明によれば、仕様が異なる装置同士で製造するカバー部材の共通化を図ることができ、複数種類の光書込装置を製造する全体の低コスト化を図ることができるという優れた効果がある。
【図面の簡単な説明】
【００１６】
【図１】上カバーが一つの部品からなるレーザ書込装置の斜視説明図。
【図２】本実施形態に係る複写機の概略構成図。
【図３】上カバーの説明図、（ａ）は側方断面図、（ｂ）は上面図。
【図４】上カバーが二つの部品からなるレーザ書込装置の斜視説明図。
【発明を実施するための形態】
【００１７】
以下、本発明を画像形成装置としての複写機（以下、複写機５００という）に適用した実施形態について説明する。本実施形態では、モノクロ画像形成装置を例に挙げて説明するが、本発明は、公知のカラー画像形成装置についても同様に適用することができる。
【００１８】
図２は、複写機５００の概略構成図である。
図２において、複写機５００は、その本体部であるプリンタ部１００は、記録紙バンク３００上に載置されており、プリンタ部１００の上に画像読取装置２００が取り付けられている。画像読取装置２００の上には、背面側（図中紙面裏側）を支点にして回動自在に構成された自動原稿搬送装置４００が取り付けられている。
【００１９】
プリンタ部１００の内部には、潜像担持体としてドラム状の感光体１０が設けられている。感光体１０の周りには、帯電ローラを用いた帯電装置１１、現像装置１２、転写ユニット１３及びクリーニング装置１４が配置されている。現像装置１２は、トナーを現像剤担持体としての現像ローラを用いて感光体１０上の静電潜像に付着させて、これを可視像化する。また、本実施形態では、感光体１０、帯電装置１１、現像装置１２及びクリーニング装置１４を一体的に支持し、プロセスカートリッジとして、複写機５００本体に対して着脱可能に設けている。
転写ユニット１３は、転写下流側ローラ１５と転写上流側ローラ１６との二つのローラに掛け回された転写ベルト１７を備えており、転写ベルト１７は、転写位置Ｂで感光体１０の周面に押し当てられている。
【００２０】
プリンタ部１００には、帯電装置１１及びクリーニング装置１４の図中左側に、現像装置１２に新しいトナーを補給するトナー補給装置２０が設けられている。
また、プリンタ部１００には、記録紙バンク３００の記録紙カセット６１から送り出された記録紙Ｐを、転写位置Ｂを経てスタック部３９まで搬送する記録紙搬送装置６０が設けられている。記録紙搬送装置６０は、給紙路Ｒ１または手差し給紙路Ｒ２、及び、記録紙搬送路Ｒに沿って、記録紙Ｐを搬送する。記録紙搬送路Ｒ上には、転写位置Ｂに対して記録紙搬送方向の上流側にレジストローラ対２１が設けられている。
【００２１】
一方、転写位置Ｂに対して記録紙搬送路Ｒの記録紙搬送方向下流側には、定着装置２２が設けられている。定着装置２２は、加熱部材である加熱ローラ３０と加圧部材である加圧ローラ３２との二つのローラを備え、この二つのローラの間に記録紙Ｐを挟み込んで加熱加圧定着を行う。
定着装置２２に対してさらに記録紙搬送方向下流側には、排出分岐爪３４、排出ローラ３５、第一加圧ローラ３６、第二加圧ローラ３７及びコシ付ローラ３８が設けられている。また、定着装置２２を経た画像形成済みの記録紙Ｐをスタックするスタック部３９も設けてられている。
【００２２】
プリンタ部１００内の現像装置１２に対して図２中左側には、レーザ書込装置４７が設けられている。このレーザ書込装置４７は、図示しないレーザ光源、走査用のポリゴンミラー４８とポリゴンモータ４９とを備えるポリゴンスキャナ１２０、及び、ｆθレンズ１２２等の走査光学系を備えている。
複写機５００におけるプリンタ部１００の横（図２中右側）には、スイッチバック装置４２が設けられている。スイッチバック装置４２は、記録紙搬送路Ｒの排出分岐爪３４が配置された位置から分岐した反転路Ｒ３と、この反転路Ｒ３を通ってきた記録紙Ｐを再び記録紙搬送路Ｒのレジストローラ対２１の位置まで導く再搬送路Ｒ４とに沿って記録紙Ｐを搬送する。反転路Ｒ３及び再搬送路Ｒ４には、一対のスイッチバックローラ対４３及び他の複数の記録紙搬送ローラ対６６が設けられている。
【００２３】
画像読取装置２００は、読取光源５３、複数のミラー５４、結像用光学レンズ５５、及び、ＣＣＤ等のイメージセンサ５６などを備えており、その上面にはコンタクトガラス５７が設けられている。
自動原稿搬送装置４００には、図示しない原稿セット台が設けられており、原稿の排出位置として図示しない原稿スタック台が設けられている。自動原稿搬送装置４００は、複数の原稿搬送ローラを備えており、この原稿搬送ローラによって、原稿は、原稿セット台から画像読取装置２００のコンタクトガラス５７上の読取位置を経て原稿スタック台まで搬送される。
【００２４】
記録紙バンク３００には、内部に、記録媒体である紙やＯＨＰフィルム等の記録紙Ｐを収納する記録紙カセット６１が複数重ねて設けられている。各記録紙カセット６１には、それぞれ呼出ローラ６２、給紙ローラ６３及び分離ローラ６４が設けられている。記録紙カセット６１の図中右側には、プリンタ部１００の記録紙搬送路Ｒへと通じる上述した給紙路Ｒ１が形成されている。この給紙路Ｒ１にも、記録紙Ｐを搬送するいくつかの記録紙搬送ローラ対６６が設けられている。
【００２５】
また、プリンタ部１００には、図中右側に、手差し給紙部６８が設けられている。この手差し給紙部６８には、手差しトレイ６７が開閉自在に設けられており、その手差しトレイ６７上にセットした手差し記録紙Ｐを記録紙搬送路Ｒへと導く上述した手差し給紙路Ｒ２が形成されている。この手差し給紙部６８にも、記録紙カセット６１と同様に、呼出ローラ６２、給紙ローラ６３及び分離ローラ６４が設けられている。
【００２６】
次に、複写機５００の動作について説明する。
複写機５００を用いてコピーをとるとき、まず、図示しないメインスイッチをオンするとともに、自動原稿搬送装置４００の原稿セット台に原稿をセットする。ブック原稿のような場合には、自動原稿搬送装置４００を開いて画像読取装置２００のコンタクトガラス５７上に直接原稿をセットし、自動原稿搬送装置４００を閉じてそれで押える。そして、図示しないスタートスイッチを押すと、自動原稿搬送装置４００に原稿をセットしたときは、その原稿を原稿搬送ローラにより原稿搬送路を通してコンタクトガラス５７上へと移動させる。その後、画像読取装置２００を駆動し、原稿内容を読み取って原稿スタック台上に排出する。一方、コンタクトガラス５７上に直接原稿をセットしたときは、直ちに画像読取装置２００を駆動して原稿内容を読み取る。
【００２７】
原稿内容を読み取る際、画像読取装置２００は、読取光源５３をコンタクトガラス５７に沿って移動させながら、その読取光源５３からの光をコンタクトガラス５７上の原稿面に照射する。そして、その反射光を複数のミラー５４で結像用光学レンズ５５まで案内してイメージセンサ５６に入れ、そのイメージセンサ５６で原稿内容を読み取る。
【００２８】
一方、原稿内容の読み取りと同時に、図示しない感光体駆動モータによって感光体１０を回転させる。そして、帯電装置１１によって一様に帯電された感光体１０の表面に対して、レーザ書込装置４７が画像読取装置２００で読み取った原稿内容に応じたレーザ光Ｌを照射して書込みを行う。これにより、感光体１０の表面に静電潜像を形成する。その後、その静電潜像に現像装置１２でトナーを付着させてこれを可視像化する。
【００２９】
また、スタートスイッチを押すと、記録紙バンク３００が備える複数の記録紙カセット６１のうち選択サイズに対応するものから、呼出ローラ６２により記録紙Ｐが送り出される。そして、送り出された記録紙Ｐを給紙ローラ６３及び分離ローラ６４で一枚ずつ分離して、その一枚を給紙路Ｒ１へ案内し、記録紙搬送ローラ対６６で記録紙搬送路Ｒへと導く。記録紙搬送路Ｒへ搬送された記録紙Ｐは、レジストローラ対２１に突き当たって止められる。
【００３０】
なお、手差し給紙部６８を使う場合、その手差しトレイ６７を開けてこれに記録紙Ｐをセットする。この場合も、記録紙Ｐは、呼出ローラ６２、給紙ローラ６３、分離ローラ６４によって一枚だけ手差し給紙路Ｒ２へ搬送され、記録紙搬送ローラ対６６で記録紙搬送路Ｒへと導かれ、レジストローラ対２１に突き当たって止められる。
このようにして、レジストローラ対２１に止められた記録紙Ｐは、上述した感光体１０の表面上の可視像化したトナー像と転写位置Ｂへ進入するタイミングが合うように回転を開始するレジストローラ対２１によって、転写位置Ｂへ送り込まれる。
【００３１】
転写位置Ｂへと送り込まれた記録紙Ｐは、転写ユニット１３により感光体１０上のトナー像が転写され、その表面に画像を担持する。転写後の感光体１０は、その表面に残留した残留トナーがクリーニング装置１４で除去され、不図示の除電ランプにより感光体１０上の残留電位も除去され、帯電装置１１からはじまる次の画像形成に備える。一方、画像を担持した記録紙Ｐは、転写ベルト１７により搬送されて定着装置２２に入る。そして、加熱ローラ３０と加圧ローラ３２との間を搬送されながら熱と圧力とが加えられて、記録紙Ｐ上の画像が定着する。その後、記録紙Ｐは、排出ローラ３５、第一加圧ローラ３６、第二加圧ローラ３７及びコシ付ローラ３８によってスタック部３９上に排出され、そこにスタックされる。
【００３２】
記録紙Ｐの両面に画像を形成する場合には、排出分岐爪３４を切り替え、記録紙Ｐの片面にトナー像を転写した後、これを記録紙搬送路Ｒから反転路Ｒ３に入れる。この記録紙Ｐは、記録紙搬送ローラ対６６で搬送してスイッチバック位置４４へ入れられた後、スイッチバックローラ対４３でスイッチバックされ、今度は再搬送路Ｒ４に入れられ、記録紙搬送ローラ対６６で再び記録紙搬送路Ｒに導かれる。そして、上述と同様にして記録紙Ｐの反対面にもトナー像を転写する。
【００３３】
次に、本発明を適用したレーザ書込装置４７の特徴部について説明する。
図１は、上カバー１３５が一つの部品からなるレーザ書込装置４７の上カバー１３５を外した状態を模式的に示す斜視説明図である。図１に示すように、レーザ書込装置４７は、ポリゴンスキャナ１２０、ｆθレンズ１２２及び防音ガラス１２３等を備え、これらを上方が開口部１３１となっている光学ハウジング１３０内に配置している。また、開口部１３１を上カバー１３５で覆い、密閉する構成である。密閉することでレーザ書込装置４７内の光学系の部品にホコリやゴミが付着することを防止できる。
そして、レーザ書込装置４７における密閉性を確保するために光学ハウジング１３０を覆う上カバー１３５は、両断して第一上カバー部１３５ａと第二上カバー部１３５ｂとに分割できる分割線１５０を有している。
【００３４】
ポリゴンスキャナ１２０は、正多角形の側面に反射ミラーを備えた回転多面鏡であるポリゴンミラー４８がポリゴンモータ４９により高速回転され、図示しないレーザ光源からのレーザ光Ｌを偏向・走査する。ｆθレンズ１２２は、ポリゴンスキャナ１２０によるビーム走査の等角度運動を等速直線運動へと変える光学素子である。図２に示す防塵ガラス１２１は、光学ハウジング１３０内への埃・塵などの落下を防止するものである。
【００３５】
防音ガラス１２３及び上カバー１３５は光学ハウジング１３０内のポリゴンスキャナ１２０が配置される空間を密閉する。より密閉するために不図示のシール部材を、防音ガラス１２３と上カバー１３５との間や上カバー１３５と光学ハウジング１３０との間に設けている。防音ガラス１２３は、ポリゴンミラー４８の風切り音がポリゴンスキャナ１２０を配置した空間の外に漏れることを防ぐものである。さらに、防音ガラス１２３は、ポリゴンスキャナ１２０を配置した空間の熱がｆθレンズ１２２等の光学素子を配置した空間に伝達することを抑制する機能も有する。また、シール部材は、上カバー１３５に取り付けられており、分割線１５０で分割された際に、シール部材も上カバー１３５と共に第一上カバー部１３５ａ側と第二上カバー部１３５ｂ側とに分割できる構成となっている。シール部材も分割できる構成とすることで、分割後の第一上カバー部１３５ａによって覆う部分の密閉性を確保することができる。
【００３６】
図３は、上カバー１３５の説明図であり、図３（ａ）は側方断面図、図３（ｂ）は上面図である。なお、図３（ａ）は、図３（ｂ）中のＣ−Ｃ’断面における断面図である。
図３に示すように、上カバー１３５は、第一上カバー部１３５ａと第二上カバー部１３５ｂとを両断するように、両断形状としての薄肉形状の加工がなされた分割線１５０が設けられている。また、上カバー１３５には光学ハウジング１３０に締結するためのネジ穴１３６が設けられている。
【００３７】
図４は、上カバー１３５が二つの部品からなるレーザ書込装置４７の上カバー１３５を外した状態を模式的に示す斜視説明図である。図４に示すレーザ書込装置４７は、一つの部品からなる上カバー１３５が分割され、ポリゴンスキャナ１２０と対向する部分に別の部品である板金カバー１６０が取り付けられた状態である。図３を用いて説明した分割線１５０に沿って樹脂製の上カバー１３５を分割し、開口部１３１のうち防音ガラス１２３を挟んでｆθレンズ１２２側の空間と対向する部分を樹脂製の第一上カバー部１３５ａで覆っている。一方、開口部１３１のうち防音ガラス１２３を挟んでポリゴンスキャナ１２０側の空間と対向する部分は、樹脂製の第二上カバー部１３５ｂの代わりに板金カバー１６０で覆っている。
【００３８】
図１や図４で用いる上カバー１３５の第一上カバー部１３５ａには、光学ハウジング１３０に締結するためのネジ穴１３６だけでなく、別部品たる板金カバー１６０を位置決めする形状も備えている。第一上カバー部１３５ａが、光学ハウジング１３０に締結するためのネジ穴１３６を備えることにより、別部品である板金カバー１６０にてポリゴンスキャナ１２０側を密閉したとしても第一上カバー部１３５ａを光学ハウジングに対して位置決めすることが可能となる。
【００３９】
ここで、従来の光書込装置及びこれを備えた画像形成装置の従来の課題について説明する。複写機やプリンタ等の画像形成装置には常に競合優位性を図るため小型化、高性能化が求められている。これらに加えて省エネやリサイクルもこれからの製品に求められている。
しかし、今までの画像形成装置は、性能や目的が異なる場合、構成される光書込装置も新規となりコストがかかるという問題があった。
そして、光書込装置としては、性能や目的が異なる装置同士であってもハウジングやカバー部材の形状が同じ場合があり、このような場合は、部品の共通化を図ることが求められる。
【００４０】
上カバーの材質の組み合わせとしては、（１）樹脂製のみ、（２）板金のみ、（３）発熱する箇所近傍を板金として他の部分を樹脂製とする三つの組み合わせが考えられる。以下、この（１）〜（３）の構成について説明する。
【００４１】
（１）樹脂製のみにすると、高精度の加工が容易であるため、密閉性を確保する成型時のコストを抑えることはできる。しかし、放熱性が悪いため、光書込装置内に熱がこもりポリゴンスキャナが高速回転する仕様には対応できない。
（２）板金のみにすると、放熱性が良くなり、光書込装置内に熱がこもることを防止し、高速回転する仕様にも対応できるが、上カバーは粉塵の侵入を防止するためにハウジングに対する密閉性が要求される。板金は、高精度の加工が樹脂よりも難しく、加工コストがかかるため、上カバー全体を板金で成型しようとするとコスト高に繋がる。
（３）発熱する箇所近傍を板金として他の部分を樹脂製とすると、板金とする部分を最小限とすることでコストの上昇を抑えつつ、熱がこもることを防止して高速回転する仕様にも対応できる。
【００４２】
熱がこもることが不具合となる仕様の光書込装置では、発熱する箇所近傍のみを板金とする蒸気（３）の構成が望ましい。
しかし、ポリゴンスキャナの回転速度が遅く、熱がこもることが問題とならない、または、熱がこもることで生じる問題よりも低コスト化が優先される低価格帯の光書込装置では、一部だけ板金とするのこともコスト高となる。
【００４３】
このような低価格帯の光書込装置とその他の装置とであっても、設計形状の共通化によるコストの削減が求められており、光書込装置におけるハウジングとそのカバーもできるだけ共通の部品を用いることが望まれる。
しかし、設計形状を共通化しても、上カバーは、発熱する箇所近傍が板金のものと、全体が樹脂のものとでは、樹脂部分の形状が異なるため、板金の部分以外の形状が共通していても、部品の共通化が出来ない。
樹脂製の部品の形状が異なる以上、それぞれの形状の上カバーについて、製造用の金型や製造ラインが別々に必要になり、コストが十分に抑制できない。
【００４４】
このような問題に対して、本実施形態のレーザ書込装置４７に用いる上カバー１３５は、光学ハウジング１３０の開口部１３１の全体を覆う形状を樹脂によって成型し、必要に応じて容易に両断可能な分割線１５０を設けている。
熱がこもることが問題とならない低価格帯の光書込装置の場合は、図１に示すように、開口部１３１の全体を覆う形状に成型された上カバー１３５をそのまま用いることができる。
一方、熱がこもることが不具合となる仕様の光書込装置の場合は、開口部１３１の全体を覆う形状に成型された上カバー１３５を分割線１５０で両断し、図４に示すように、第一上カバー部１３５ａのみを開口部１３１の一部に取り付ける。そして、開口部１３１の他の部分については、板金からなる板金カバー１６０で覆う。
【００４５】
本実施形態のレーザ書込装置４７では、図１に示す開口部１３１の全体を樹脂製の上カバー１３５で覆う構成と、図４で示す開口部１３１の全体を樹脂製の第一上カバー部１３５ａで覆う構成とで、共通の製造ラインで製造された樹脂製部品を用いることができる。これにより、性能や目的が異なる複数種類の光書込装置を製造するシステム全体の製造コストの削減を図ることができる。
【００４６】
なお、図４に示すように、板金カバー１６０を用いるものについては、製造時の上カバー１３５のうち、第二上カバー部１３５ｂの部分は、両断後、光書込装置に用いることはなく、材料の無駄が生じるようにも思われる。しかし、異なる形状の上カバー１３５を別の製造工程によって製造するよりもコストの削減を図れる。また、切り取った第二上カバー部１３５ｂの部分は、市場に流通しておらず、汚れや変質等は生じていないので、その材料を再利用することで材料の無駄が生じることを抑制できる。
【００４７】
また、図１と図４に示すレーザ書込装置４７の開口部１３１は、第一上カバー部１３５ａで覆われる部分だけでなく、第一上カバー部１３５ａで覆われない部分も同じ形状をしている。このため、第二上カバー部１３５ｂと板金カバー１６０とが略同一の形状となっている。
しかし、本発明を適用するレーザ書込装置４７としては、二種類の装置同士で、開口部１３１における第一上カバー部１３５ａで覆われる部分が同じ形状であればよい。このため、二種類の装置同士で、第二上カバー部１３５ｂで覆われる形状と板金カバー１６０で覆われる形状とが異なる形状であってもよい。
【００４８】
以上に説明したものは一例であり、本発明は、次の態様毎に特有の効果を奏する。
（態様Ａ）
光を発生させるレーザ光源等の光源部と、光源部が発生させた光を偏向させて走査するポリゴンスキャナ１２０等の回転偏向器とを光学ハウジング１３０等のハウジングに収納し、ハウジングの開口部１３１等の開放部分を上カバー１３５等のカバー部材で覆ったレーザ書込装置４７等の光書込装置において、カバー部材は、両断可能な分割線１５０等の両断形状を少なくとも製造時に備えるものである。
これによれば、上記実施形態について説明したように、カバー部材を必要に応じて分割することができる。このため、両断形状で両断せずに製造時のままの形状のカバー部材を使用する光書込装置と、両断形状で両断した一方の形状のカバー部材を使用する光書込装置とで、製造するカバー部材の共通化を図ることができる。よって、仕様が異なる装置同士で製造するカバー部材の共通化を図ることができ、複数種類の光書込装置を製造する全体の低コスト化を図ることができる。
（態様Ｂ）
（態様Ａ）に態様において、分割線１５０等の両断形状は、開口部１３１等の開放部分におけるポリゴンスキャナ１２０等の回転偏向器の駆動時に発熱する発熱部に対向する部分（第二上カバー部１３５ｂ等）と他の部分（第一上カバー部１３５ａ）とで上カバー１３５等のカバー部材を両断する形状である。
これによれば、上記実施形態について説明したように、分割した他の部分側のみを開放部分を覆うために用いることで、発熱部に対向する部分を開けることができ、他の部材をこの部分に配置することが可能となる。
（態様Ｃ）
（態様Ａ）または（態様Ｂ）の何れかの態様において、上カバー１３５等のカバー部材を分割線１５０等の両断形状によって両断し、開口部１３１等の開放部分における他の部分をカバー部材（第一上カバー部１３５ａ）によって覆い、開放部分における発熱部に対向する部分はカバー部材よりも熱伝導率が高い材料からなる板金カバー１６０等の高熱伝導カバー部材によって覆う。
これによれば、上記実施形態について説明したように、開放部分を一つのカバー部材のみによって覆う構成に比べて、発熱部をより効率的に冷却することができる。よって、ポリゴンスキャナ１２０等の回転偏向器の駆動時の発熱に起因する不具合の発生を抑制できる。
（態様Ｄ）
（態様Ｂ）または（態様Ｃ）の何れかの態様において、上カバー１３５等のカバー部材は光学ハウジング１３０等のハウジングとの位置決めを行うネジ穴１３６等の位置決め形状を有し、位置決め形状は両断する前のカバー部材における第一上カバー部１３５ａ等の他の部分に設けている。
これによれば、上記実施形態について説明したように、カバー部材における発熱部と対向する部分以外の部分に位置決め形状を備えている。このため、両断し、発熱部と対向する部分を別部品で覆おう構成であっても、カバー部材をハウジングに対して位置決めすることができる。
（態様Ｅ）
（態様Ｂ）乃至（態様Ｄ）の何れかの態様において、上カバー１３５等のカバー部材は光学ハウジング１３０等のハウジングとの組み付けを行うネジ穴１３６等の組み付け形状を有し、位置決め形状は両断する前のカバー部材における第一上カバー部１３５ａ等の他の部分に設けている。
これによれば、上記実施形態について説明したように、カバー部材における発熱部と対向する部分以外の部分に組み付け形状を備えている。このため、両断し、発熱部と対向する部分を別部品で覆おう構成であっても、カバー部材をハウジングに対してネジ止め等によって組み付けることができる。
（態様Ｆ）
（態様Ａ）または（態様Ｅ）の何れかの態様において、上カバー１３５等のカバー部材は光学ハウジング１３０等のハウジングとの間の密閉性を高めるためのシール部材を備え、シール部材は、分割線１５０等の両断形状によってカバー部材が両断される部分で分割されている。
これによれば、上記実施形態について説明したように、カバー部材を分割してハウジングに取り付ける場合に、開口部１３１等の開放部分のうちの分割後のカバー部材が覆う部分の密閉性を確保することができる。
（態様Ｇ）
（態様Ａ）または（態様Ｆ）の何れかの態様において、上カバー１３５等のカバー部材を分割線１５０等の両断形状によって両断した一方によって開口部１３１等の開放部分の一部を覆い、開放部分を覆うカバー部材とは異なる板金カバー１６０等の別部品には、開放部分の一部を覆うカバー部材及び光学ハウジング１３０等のハウジングに対してネジ止め等の固定及び位置決めを行う位置決め固定形状を有する。
これによれば、上記実施形態について説明したように、カバー部材を分割した後に組みつけられる別部品を、カバー部材を分割後も新しい別部材がハウジングに位置決め及び固定をすることが可能となる。
（態様Ｈ）
感光体１０等の潜像担持体と、潜像担持体上に光を照射して潜像を形成する潜像形成手段と、潜像担持体上の潜像を現像しトナー像を形成する現像装置１２等の現像手段と、トナー像を像担持体上から記録紙Ｐ等の記録媒体上に転写する転写ユニット１３等の転写手段と、を有する複写機５００等の画像形成装置において、潜像形成手段として、（態様Ａ）または（態様Ｇ）の何れかの態様に記載のレーザ書込装置４７等の光書込装置を用いる。
これによれば、上記実施形態について説明したように、複数種類の光書込装置を製造する全体の低コスト化を図ることができるため、これらの光書込装置を備えた複数種類の画像形成装置を製造するシステム全体の低コスト化を図ることができる。
【符号の説明】
【００４９】
１０  感光体
１１  帯電装置
１２  現像装置
１３  転写ユニット
１４  クリーニング装置
１５  転写下流側ローラ
１６  転写上流側ローラ
１７  転写ベルト
２０  トナー補給装置
２１  レジストローラ対
２２  定着装置
３０  加熱ローラ
３２  加圧ローラ
３４  排出分岐爪
３５  排出ローラ
３６  第一加圧ローラ
３７  第二加圧ローラ
３８  コシ付ローラ
３９  スタック部
４２  スイッチバック装置
４３  スイッチバックローラ対
４４  スイッチバック位置
４７  レーザ書込装置
４８  ポリゴンミラー
４９  ポリゴンモータ
５３  読取光源
５４  ミラー
５５  結像用光学レンズ
５６  イメージセンサ
５７  コンタクトガラス
６０  記録紙搬送装置
６１  各記録紙カセット
６１  記録紙カセット
６２  呼出ローラ
６３  給紙ローラ
６４  分離ローラ
６６  記録紙搬送ローラ対
６７  手差しトレイ
６８  手差し給紙部
１００  プリンタ部
１２０  ポリゴンスキャナ
１２１  防塵ガラス
１２２  レンズ
１２３  防音ガラス
１３０  光学ハウジング
１３１  開口部
１３５  上カバー
１３５ａ  第一上カバー部
１３５ｂ  第二上カバー部
１３６  ネジ穴
１５０  分割線
１６０  板金カバー
２００  画像読取装置
３００  記録紙バンク
４００  自動原稿搬送装置
５００  複写機
Ｌ  レーザ光
Ｐ  記録紙
Ｒ  記録紙搬送路
Ｒ１  給紙路
Ｒ２  手差し給紙路
Ｒ３  反転路
Ｒ４  再搬送路
【先行技術文献】
【特許文献】
【００５０】
【特許文献１】特開２００１−３３０７９１号公報
【特許文献２】特開２００９−０６３８３３号公報
【図１】
2014012371.tif 000003
【図２】
2014012371.tif 000004
【図３】
2014012371.tif 000005
【図４】
2014012371.tif 000006